(57)【要約】【課題】  遊技盤を構成する板材の板厚を薄くする。【解決手段】  遊技盤１は、透明な合成樹脂製の前面基板３１と、窓状の開口３４を有して前面基板３１の背面に接着された合成樹脂製の背面補強部材３２とを備えるので、耐曲げ性などの遊技盤１に必要な剛性は前面基板３１と背面補強部材３２とが共同して担えばよく、前面基板３１の板厚は遊技釘２０を嵌着させて保持するに足りるだけの板厚にできる。つまり、遊技盤１を１枚の板材で構成する場合に比べれば、その板厚を大幅に薄くできる。【選択図】  図４
2006204448.tif 000002
【特許請求の範囲】
【請求項１】
透光性の合成樹脂製で、前面には遊技領域の内外を仕切るためのガイドレールが取り付けられ、前記遊技領域には遊技釘が植設される前面基板と、
前記遊技領域の背面を露呈させる窓状の開口を有して前記前面基板の背面に接合された合成樹脂製の背面補強部材と
を備えることを特徴とする遊技盤。
【請求項２】
請求項１記載の遊技盤において、
前記前面基板には、入賞装置を取り付けるための貫通穴が複数箇所に設けられており、
前記背面補強部材の前記開口は、前記貫通穴のすべてが含まれる範囲の前記前面基板の背面を露呈させる
ことを特徴とする遊技盤。
【請求項３】
請求項１又は２記載の遊技盤において、
前記前面基板には、該前面基板の背後に配される表示装置の表示を透視させるための透視域が前記背面補強部材の前記開口に露呈する位置に設定され、
該透視域には前記遊技釘は植設されない
ことを特徴とする遊技盤。
【請求項４】
請求項１、２又は３記載の遊技盤において、
前記前面基板の外周と前記背面補強部材の外周とが相互に整合する
ことを特徴とする遊技盤。
【発明の詳細な説明】
【技術分野】
【０００１】
本発明は、弾球遊技機の技術分野に属し、詳しくは弾球遊技機に装着される遊技盤に関する。
【背景技術】
【０００２】
弾球遊技機の遊技盤は、合板製が主流であるが、これを合成樹脂製にすることがある。例えば特開平１１−９９２４４号公報（特許文献１）には、射出成形による遊技盤が開示されている。また、特開平１０−１７９８５４号公報（特許文献２）には、透光性の合成樹脂で製造された遊技盤が開示されている。
【特許文献１】特開平１１−９９２４４号公報
【特許文献２】特開平１０−１７９８５４号公報
【発明の開示】
【発明が解決しようとする課題】
【０００３】
ところで、特許文献２のような透光性の合成樹脂で遊技盤を製造するに当たって、特許文献１に開示の射出成形を採用するには、次のような問題があった。
まず、遊技盤のような肉厚品の射出成形では反りを排除することが困難であった。
【０００４】
肉厚を薄くして、補強用のリブを縦横に走らせるという反り予防の手法もあるが、透光性であると補強用のリブが見えてしまうので採用しがたい。
また、遊技釘を打ち付ける部分にはそれなりの肉厚が要求されるので、この部分だけをボス状にして背後に突出させることも考えられるが、これもリブの場合と同様に透光性の遊技盤には採用しがたい。
【０００５】
要するに、反りの発生を防いだ上で、透光性という特質（美観）を損ねることなく成形するのは困難であった。
一方、押し出し成形による板材を切削加工して遊技盤を製造する技術もある。この方法であれば反りについては問題はないが、全体的に板厚を均等にせざるを得ないので、重量が比較的大きくなる（重量の低減は困難）。
【課題を解決するための手段】
【０００６】
請求項１記載の遊技盤は、
透光性の合成樹脂製で、前面には遊技領域の内外を仕切るためのガイドレールが取り付けられ、前記遊技領域には遊技釘が植設される前面基板と、
前記遊技領域の背面を露呈させる窓状の開口を有して前記前面基板の背面に接合された合成樹脂製の背面補強部材と
を備えるので、耐曲げ性などの遊技盤に必要な剛性は前面基板と背面補強部材とが共同して担えばよく、前面基板の板厚は遊技釘を嵌着させて保持するに足りるだけの板厚にできる。
【０００７】
「遊技釘を嵌着させて保持可能」という条件のみで前面基板の板厚を決めることができるので、遊技盤を１枚の板材で構成する場合に比べれば、その板厚を大幅に薄くできる。
このため、前面基板を射出成形や射出圧縮成形で製造するにあたって、反りの発生を抑制できる。また、押し出し成形による板材を切削加工して前面基板とする場合でも、その切削量を低減できる。
【０００８】
背面補強部材には、遊技領域の背面を露呈させる窓状の開口が設けられるので、開口の内側になる部分については背面補強部材が存在しない。つまり、この部分では前面基板を透かして背面補強部材が見えることがない。よって、背面補強部材にリブやボス等が設けられていても、少なくとも開口の内側になる部分については透光性という特質（美観）が損なわれない。また、例えばリブやボス等を備えた背面補強部材は射出成形にて製造することができる（切削加工しなくてよい）から、その製造コストを低減でき、資材面での歩留まりも良好になる。
【０００９】
その開口の形状や大きさを選択することにより、遊技領域（背面）のどれだけの部分を露呈させるか決めることができるので、開口の輪郭を例えばガイドレール（及びガイドレールと共同して遊技領域の内外を仕切る部材）に沿わせることで遊技領域（背面）のほぼ全部を開口に露呈させることもできれば、例えば上半分とか下半分とか、遊技領域（背面）の一部だけを開口に露呈させることもできる。つまり、請求項１に記載の「前記遊技領域の背面を露呈させる」とは、遊技領域（背面）の全部を露呈させることだけを言うのではない（そうであってもよいが）。
【００１０】
前面基板と背面補強部材との接合は、接着又は溶着が好適であるが、他の構成（例えばボルト等で締め付ける構成）であってもよい。
前面基板は透光性の合成樹脂製であることを必須とするが、透光性であればよく、透明であることまでを要さない。つまり、染料や顔料で着色されていてもよい。
【００１１】
また、前面に従来の「セル」に相当する装飾材（フィルム、シート）を積層してもよい。但し、この場合、少なくとも遊技領域の適宜範囲については前面基板の透光性が損なわれないように、装飾材（フィルム、シート）を透明にする等の対策が必要である。
【００１２】
背面補強部材は透光性であることを要さないので、透光性の樹脂材料を用いてもよいし不透明な樹脂材料を用いてもよい。また、着色なども制限されない。
さらには、背面補強部材の前面（前面基板との接合面）にフィルムやシートを積層してもよいし、フィルム等を背面に積層してもよい。これらフィルム等に印刷（装飾）しておいて、それが前面基板を透かして見えるようにすれば、装飾効果を高めることができる。また、これらフィルム等をハーフミラー又はミラーにしてもよい。
【００１３】
ところで、遊技盤には入賞装置（固定型、チューリップ式やアタッカー式の可変型等）が取り付けられる。また、入賞装置に入賞した遊技球は遊技盤の背後に取り込まれるのが一般的である。こうした事情から、遊技盤には入賞装置を取り付けるための貫通穴が設けられ、遊技盤の背面には取り込んだ入賞球を機外に排出するために集合させる樋等が装着される。
【００１４】
請求項２記載の遊技盤は、請求項１記載の遊技盤において、前記前面基板には、入賞装置を取り付けるための貫通穴が複数箇所に設けられており、前記背面補強部材の前記開口は、前記貫通穴のすべてが含まれる範囲の前記前面基板の背面を露呈させる構成になっているので、入賞球を機外に排出するために集合させる樋等を前面基板の背面に接触状に取り付けることができる。なお、この樋等は前面基板に取り付けることを要さない（例えば背面補強部材に取り付けてもよい。）。
【００１５】
請求項３記載の遊技盤は、請求項１又は２記載の遊技盤において、前記前面基板には、該前面基板の背後に配される表示装置の表示を透視させるための透視域が前記背面補強部材の前記開口に露呈する位置に設定され、該透視域には前記遊技釘は植設されない構成であるから、透視域の背後に表示装置（表示画面）を配置することができる。従って、表示画面を臨ませるための窓状の開口を前面基板に設ける必要はない。
【００１６】
また、透視域には遊技釘を植設しないから、表示装置（表示画面）の視認性が遊技釘によって損なわれるおそれもない。
請求項４記載の遊技盤は、請求項１、２又は３記載の遊技盤において、前記前面基板の外周と前記背面補強部材の外周とが相互に整合する、つまり、遊技盤としての外周面に関しては、前面基板と背面補強部材との接合部分に段差などを生じない。
【発明を実施するための最良の形態】
【００１７】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
本実施例の遊技盤１はパチンコ機用であり、図１に示すとおり、一部に切欠があるものの、ほぼ長方形をしている。この遊技盤１にはレールピン２１によって略円弧状のガイドレール２ａ、２ｂが取り付けられており、ガイドレール２ａ、２ｂによって囲まれた略円形の区画内が遊技領域４とされる。なお、ガイドレール２ａ、２ｂの先端間の切れ目部分は返しゴム（図示略）にて閉じられる。
【００１８】
遊技領域４の最下部には、遊技領域４を通過してきた遊技球をアウト球として排出するためのアウト穴５が設けられており、ガイドレール２ｂには遊技球をアウト穴５に誘導するための凹み２ｃが設けられている。
【００１９】
そのアウト穴５の上方には、開閉板６ａによって開閉されるアタッカー式の大入賞口６が配されている。また、大入賞口６の左右斜め上には、それぞれ普通入賞口７、８が配されている。これら大入賞口６及び普通入賞口７、８は共通のベース板９に組み付けられて入賞口ユニット１０とされ、ビス１１にて遊技盤１に取り付けられている。本実施例では入賞口ユニット１０を採用しているが、大入賞口６、普通入賞口７、８をそれぞれ別々に遊技盤１に取り付けることもできる。
【００２０】
大入賞口６の上方には電動チューリップ式の可変入賞装置１２と始動入賞口１３とを備える複合入賞装置１４が設置されている。
図示するところから明らかなように、可変入賞装置１２が閉鎖状態（図示の状態）にあるときには、始動入賞口１３によって可変入賞装置１２への入賞を阻まれる（可変入賞装置１２へは、開放時しか入賞できない）。この可変入賞装置１２は、その左右に配されている通過口１５に遊技球が進入したことに起因する抽選で当たりになると開放される。
【００２１】
一方、始動入賞口１３に入賞した場合には大当たり抽選が行われ、これに応じて遊技盤１の背後に配されている表示装置（図示は省略。図１には表示装置の画面の輪郭に対応する透視域１６を示してある。）にて図柄の変動表示がなされる。大当たり抽選が当たりであれば、図柄の変動表示に続いて表示装置にて大当たりを示す表示が行われる。その大当たり表示がなされると大当たり遊技の開始となって、大入賞口６が開放される。なお、この表示装置は演出表示用であり、大当たり抽選の結果は図示省略の７セグメントＬＥＤによって表示されるが、表示装置の表示だけでも大当たりか否かを判別できる。
【００２２】
表示装置は遊技盤１と一体化されているわけでないが（遊技盤１の一部ではないが）、遊技盤１には透視域１６の上辺に対応するようにしてガード庇１７が取り付けられ、同下辺に対応するようにしてステージ１８が取り付けられている。また、ステージ１８の左右には風車１９が配されている。
【００２３】
ガード庇１７は、上方からの遊技球が透視域１６（表示装置の画面の前方）に進入するのを防止するために（遊技球が画面の前方を通って視認性を阻害するのを防止するために）設置されている。ステージ１８は、主に左右から飛来した遊技球をその上面で遊動させて、多くの場合、その中央部から落下させるために設置されている。ステージ１８の中央は始動入賞口１３の真上に位置しているので、遊技球を始動入賞口１３に向かわせることになる。また、ガード庇１７及びステージ１８は、正確にではないが透視域１６すなわち表示装置の画面の上下限界を、風車１９は左右限界を遊技者に示す働きもする。
【００２４】
図示するとおり、遊技領域４には多数の遊技釘２０が植設されている。
遊技領域４の中央上部（ガード庇１７の上方）にはいわゆる天釘として、普通入賞口７、８、始動入賞口１３及び通過口１５の直上にはいわゆる命釘として、それぞれ遊技釘２０が配置されている。また、左右の風車１９及びステージ１８の下方においては、遊技球を複合入賞装置１４又は通過口１５へと誘導するように、列状の遊技釘２０が配置されている。その他、配置密度に差があるものの、適宜に遊技釘２０が配されている。但し、透視域１６（表示装置の画面の前方）には実質的に遊技釘２０は存在しないので、遊技釘２０によって画面の視認性が損なわれることはない。
【００２５】
図２に示すように、遊技盤１は前面基板３１と背面補強部材３２とを透明接着剤で接着した積層構造になっている。前面基板３１は透明な合成樹脂（本実施例ではポリカーボネート）の平板であり、背面補強部材３２は透明な合成樹脂（本実施例ではポリカーボネート）の射出成形品である。
【００２６】
上述の遊技領域４は前面基板３１の面上に形成されており、遊技釘２０及び風車１９の軸釘（遊技釘２０と同様であるので図示略）が前面基板３１に打ち付けられている。詳しくは、前面基板３１には下穴が設けられており、遊技釘２０及び風車１９の軸釘は、この下穴に嵌着されている。なお、図示する通り、遊技釘２０及び風車１９の軸釘（それらの下穴）には仰角があり、本実施例では、この仰角は４度である。また、遊技釘２０及び風車１９の軸釘の先端が、前面基板３１の背面３１ａより突出しない設計になっている。
【００２７】
ガイドレール２ａ、２ｂも同じく前面基板３１に設けられた下穴にレールピン２１を嵌着させることで遊技盤１に取り付けられている。
なお、図２には遊技釘２０及びレールピン２１を、それぞれ１本だけ図示している。
【００２８】
図３に示すように、前面基板３１は遊技盤１としての輪郭と同じ輪郭の略長方形の板材であり、板厚は約７ｍｍである。この、前面基板３１には入賞口ユニット１０、複合入賞装置１４及び通過口１５を取り付けるための取付穴（貫通穴）１０ａ、１４ａ、１５ａが設けられ、上述のアウト穴５の前半部５ａも前面基板３１を貫通して設けられている。
【００２９】
一方、図４に示すように、背面補強部材３２は、その輪郭は前面基板３１と整合するが、内側には窓状の開口３４が設けられている。この開口３４の内周は、上部ではガイドレール２ａをなぞり、それよりも下部ではガイドレール２ｂをなぞっており、ほぼ遊技領域４に対応している。従って、開口３４は、前面基板３１の遊技領域４の背面ほぼ全域を露呈させる。また、透視域１６の背面も開口３４に露呈することになる。
【００３０】
その開口３４の外側、すなわち背面補強部材３２の実体部分には格子状のリブ３５が設けられている（リブ３５は右半部のみ図示し、左半部の図示は省略。）。
また、アウト穴５の後半部５ｂが背面補強部材３２を貫通して設けられており、前面基板３１の前半部５ａと合わせてアウト穴５が形成されている。さらに、背面補強部材３２の背面には、アウト穴５を通過した遊技球を落下させるためのアウト球溝３６が後半部５ｂに連通状に設けられている。
【００３１】
なお、背面補強部材３２の前面（前面基板３１との接合面）は平坦面であり、リブ３５は背面側に設けられている。この背面補強部材３２の厚み（リブ３５を含む）は約１２ｍｍである。
【００３２】
以上説明したように、この遊技盤１は、透明な合成樹脂製で、前面には遊技領域４の内外を仕切るためのガイドレール２ａ、２ｂが取り付けられ、遊技領域４には遊技釘２０が植設される前面基板３１と、遊技領域４の背面を露呈させる窓状の開口３４を有して前面基板３１の背面に接着された合成樹脂製の背面補強部材３２とを備えるので、耐曲げ性などの遊技盤１に必要な剛性は前面基板３１と背面補強部材３２とが共同して担えばよく、前面基板３１の板厚は遊技釘２０を嵌着させて保持するに足りるだけの板厚にできる。つまり、遊技盤１を１枚の板材で構成する場合に比べれば、その板厚を大幅に薄くできる。
【００３３】
このため、前面基板３１を射出成形や射出圧縮成形で製造するにあたって、反りの発生を抑制できる。また、押し出し成形による板材を切削加工して前面基板３１とする場合でも、その切削量を低減できる。
【００３４】
背面補強部材３２には、遊技領域４の背面を露呈させる窓状の開口３４が設けられるので、開口３４の内側になる部分については背面補強部材３２が存在しない。つまり、この部分では前面基板３１を透かして背面補強部材３２が見えることがない。よって、背面補強部材３２にリブ３５やボス等が設けられていても、少なくとも開口３４の内側になる部分については透明という特質（美観）が損なわれない。また、リブ３５やボス等を備えた背面補強部材３２は射出成形にて製造することができる（切削加工しなくてよい）から、その製造コストを低減でき、資材面での歩留まりも良好になる。
【００３５】
その開口３４の形状や大きさは遊技領域４（背面）のどれだけの部分を露呈させるかに応じて決めればよいが、開口３４の輪郭をガイドレール２ａ、２ｂに沿わせることで遊技領域４（背面）のほぼ全部を開口３４に露呈させることができる。
【００３６】
なお、遊技領域４の輪郭（仕切）はガイドレールのみで規定する必要はなく、例えば円弧状のリブを前面基板３１に立設したり、円弧状の壁面を有する部材を前面基板３１に取り付けたりして、それとガイドレールとが共同して遊技領域４の輪郭（仕切）を形成する構成にしてもよい。
【００３７】
また、この遊技盤１は、前面基板３１には、入賞口ユニット１０、複合入賞装置１４及び通過口１５を取り付けるための取付穴１０ａ、１４ａ、１５ａが設けられており、背面補強部材３２の開口３４は、これら取付穴１０ａ、１４ａ、１５ａのすべてが含まれる範囲の前面基板３１の背面を露呈させる構成になっているので、入賞球を機外に排出するために集合させる樋等を前面基板３１の背面に接触状に取り付けることができる。
【００３８】
この遊技盤１は、前面基板３１には、前面基板３１の背後に配される表示装置の表示を透視させるための透視域１６が背面補強部材３２の開口３４に露呈する位置に設定され、その透視域１６には遊技釘２０は植設されない構成であるから、透視域１６の背後に表示装置（表示画面）を配置でき、表示画面を臨ませるための窓状の開口を前面基板３１に設ける必要はない。また、透視域１６には遊技釘２０を植設しないから、表示装置（表示画面）の視認性が遊技釘２０によって損なわれるおそれもない。
【００３９】
更に、この遊技盤１は、前面基板３１の外周と背面補強部材３２の外周とが相互に整合するので、遊技盤１の外周面に関しては、前面基板３１と背面補強部材３２との接合部分に段差などを生じない。このため、パチンコ機の遊技盤１を保持する枠部分の構造が複雑化しない。
【図面の簡単な説明】
【００４０】
【図１】実施例の遊技盤の正面図。
【図２】実施例の遊技盤の側面図。
【図３】実施例の前面基板の正面図。
【図４】実施例の遊技盤の背面図。
【符号の説明】
【００４１】
１・・・遊技盤、
２ａ、２ｂ・・・ガイドレール、
４・・・遊技領域、
５・・・アウト穴、
６・・・大入賞口、
７、８・・・普通入賞口、
１０・・・入賞口ユニット、
１０ａ、１４ａ、１５ａ・・・取付穴（貫通穴）、
１２・・・可変入賞装置、
１３・・・始動入賞口、
１４・・・複合入賞装置、
１５・・・通過口、
１６・・・透視域、
２０・・・遊技釘、
２１・・・レールピン、
３１・・・前面基板、
３２・・・背面補強部材、
３４・・・開口、
３５・・・リブ。
【図１】
2006204448.tif 000003
【図２】
2006204448.tif 000004
【図３】
2006204448.tif 000005
【図４】
2006204448.tif 000006